(57)【特許請求の範囲】
【請求項１】
収納バッグにおいて、内部が分割に仕切られ、複数の分別収容が可能な収容部を有し、
前記収容部に連結対応して開口部を収納バッグの外周上部に設け、
前記開口部には、密閉型のビニール内袋が前記収納バッグ内側上部より垂らしたクリップで挟むことにより装着されていることを特徴とする分別バッグ。
【請求項２】
収納バッグの外側から生ゴミを投入できるようにした開口部を有し、
前記開口部には、密閉型のビニール内袋が前記収納バッグ内側上部より垂らしたクリップで挟むことにより装着されており、
前記開口部の外側には、当該開口部を覆う蓋が設けられていることを特徴とする分別バッグ。
【請求項３】
前記収納バッグは防水性の生地で構成されたことを特徴とする請求項１又は請求項２に記載の分別バッグ。
【発明の詳細な説明】
【技術分野】
【０００１】
本発明は、行楽地など外出先でゴミ処理がし易く、繰り返し使える携帯用分別バッグに関する。
【背景技術】
【０００２】
従来、この種の携帯バッグは、スーパーマーケットなどで購入した商品を店舗で使用されるレジ袋を使わずに収納するエコバッグなどがある。しかし、行楽地など外出先で弁当かすや菓子包装などのゴミを処理するために、このようなエコバッグが使われることは少なく、レジ袋などのビニール袋がそのままゴミ袋として使われている。
屋外等の行楽地に携行できるゴミ袋については特許文献1、さらには特許文献2が挙げられるが、分別収容の構造とはなっていない。
【先行技術文献】
【特許文献】
【０００３】
【特許文献１】実用新案登録第3031173号公報
【特許文献２】特開2014-80256号公報
【発明の概要】
【発明が解決しようとする課題】
【０００４】
本発明が解決しようとする課題は、スポーツ観戦の会場や行楽地へ持ち込まれた食品や菓子、飲み物が消費後にほとんどが現地で捨てられていることを課題とする。競技場などの施設では可燃性ゴミ、不燃性のゴミ、缶やペットボトルを分別して捨てることのできるコンテナなどを有しているが、その排出量はかなりのものとなっており、ゴミを持ち込んだ本人が自宅に持ち帰ってきちんと処理をするという習慣が一般化すれば施設におけるゴミ捨て場も縮小でき、そもそも捨て場の少ないような行楽地では溢れたゴミなどで美観を損ねることも防げる。
【課題を解決するための手段】
【０００５】
本発明に係る分別バッグは、収納バッグにおいて、内部が分割に仕切られ、複数の分別収容が可能な構成とし、この各収容部に連結対応して開口部を収納バッグの外周上部に設けたことを特徴とする。本発明に係る分別バッグでは、外出先でも手軽にゴミの分別ができ、見栄えよくゴミを持ち運ぶことができる。また、内部が仕切り布で分割されているので、複数の分別収容が可能で、バッグの外周に設けた開口部分より分別してゴミを投入することができる
【０００６】
また、本発明に係る分別バッグは、収納バッグの外側から生ゴミを投入できるようにした開口部の一部は、密閉型のビニール内袋を装着可能とし、その開口部の外側にはゴミ収容とは分からないように蓋を付けることを特徴としてもよい。本発明に係る分別バックでは、「生ごみ」投入口の内側には、専用の密閉型のビニール内袋を装着して、そこに生ごみを入れることによって不快感を与えるような臭いも発生させることを防止することができる。
【０００７】
また、本発明に係る分別バッグでは、密閉型ビニール内袋の装着は、バッグ内側上部より垂らしたクリップで挟むことを特徴としてもよい。本発明に係る分別バックでは、「生ごみ」収容用のビニール内袋はバッグ本体の内側上部につけたクリップ（留め具）で固定される構造としているので、使用後は中のゴミを捨て、ビニール内袋は洗って再び装着することができる。
【０００８】
また、本発明に係る分別バッグでは、収納バッグは防水性の生地で構成されたことを特徴としてもよい。
【発明の効果】
【０００９】
本発明により外出先でも手軽にゴミの分別ができ、見栄えよくゴミを持ち運ぶことができるという効果を奏する。外出先で分別ができていれば自宅に帰ってからのゴミの処理が容易になる利点がある。
【図面の簡単な説明】
【００１０】
【図１】図１は、本発明の実施形態に係る分別バッグの斜視図を概略的に示す図である。
【図２】図２は、本発明の実施形態に係る分別バッグの正面図を概略的に示す図である。
【図３】図３（ａ）は、本発明の実施形態に係る分別バッグの側面図を概略的に示す図である。図３（ｂ）は、図３（ａ）の一部拡大図を示す図である。
【図４】図４は、本発明の実施形態に係る分別バッグを上から見た図である。
【図５】図５は、本発明の実施形態に係る分別バッグの一使用例を説明するための図である。
【図６】図６は、本発明の実施形態に係る分別バッグの別の使用例を説明するための図である。
【図７】図７は、本発明の実施形態に係る分別バッグを折畳んだ状態を説明するための図である。
【発明を実施するための形態】
【００１１】
以下、図面に基づいて本発明による分別バッグの実施例を更に詳細に説明する。
【００１２】
図1は、本発明の実施形態に係る分別バッグ１の斜視図を概略的に示す図である。分別バッグ１はゴミの種類別に収納できるように仕切り布４a、４bを有し、複数に分割される。収納スペースはその大きさや分割される数を特に問題としないが、ゴミを分別する場合に可燃ゴミと不燃ゴミ、生ごみとに分けることが一般的であることを考慮すると3つ程度の仕切りを想定している。
バッグ上部の開口部分はその幅一杯までチャック３で開くことができ、上からゴミを投入することもできるが、大きく上部を開くことなくバッグの外からゴミを投入できるように、バッグ側面にも開口部５a、５b、５cを設けた。側面から投入できるようにする開口部５a、５b、５cは、単に口を開けた窓状でもチャック式などで開閉できる構造でも問題としない。
【００１３】
さらに生ごみ収納スペースには、市販のジッパー付きビニール袋７を内袋として装着できるよう、装着クリップ６を分別バッグ１の内側上部につけることとした。装着したビニール袋７には弁当に付いているソースや醤油、食べ残したおかず、水分を含んだような生ごみを入れることができる。密閉型にしたことにより、生ごみが染み出て臭いを発することも防ぐことができる。
装着クリップ６は、ベルト状やフラップ型の生地の先端につけ、ビニール袋７の上部を挟み止める方式とした。これによりジッパー付きビニール袋７のサイズを特に気にすることなく装着が可能となる。これは定期的に市販のジッパー付きビニール袋を交換する際にもある程度のサイズが許容できて便利である。
【００１４】
図２は、本発明の実施形態に係る分別バッグ１の正面図を概略的に示す図である。図２において、開口部５a、５b、５cはその数や口の形、ファスナー等で開閉するかしないかなどの形態は特に問題としていない。生ごみ投入用の開口部５cについては外側に蓋８を付けて開口部を隠すことを特徴としている。
【００１５】
図３（ａ）は、本発明の実施形態に係る分別バッグ１の側面図を概略的に示す図である。図３（ｂ）は、図３（ａ）の一部拡大図を示す図である。図３は、本発明の側面図でビニール内袋７の装着状態を横から示した。拡大図によりフラップについたクリップ６で内袋７を挟み込んだ状態と開口部の外側についた蓋８を示した。
【００１６】
図４は、本発明の実施形態に係る分別バッグ１を上から見た図である。長さの短い仕切り布４aと長い仕切り布４bの位置と、ビニール内袋７と装着クリップ6の位置関係を示した。
【００１７】
図５は、本発明の実施形態に係る分別バッグ１の一使用例を説明するための図である。図５は、行楽地に向かう際に、分別バッグ１に、弁当のおかず１０、おにぎり１１やドリンク１２、レジャーシート９を入れてエコバッグとして使用した場合の実用例として示した。本実施形態においては、本来ゴミを持ち帰る際の用途を想定しているが、行楽地に行くときに飲食物を入れるバッグとして、分別バッグ１を、使用することもできる。
【００１８】
図６は、本発明の実施形態に係る分別バッグ１の別の使用例を説明するための図である。図６は、分別バック１を、ゴミ分別バッグとして使用する場合を示している。開口部５１a、５１b、５１cは駅などに設置されているゴミ箱の形状を模して開け、開口部を覆う８a、８b、８ｃの蓋にはそれぞれ「ペット・缶」「プラ・ビニール」「燃やせるゴミ」の表示をした。また蓋は面状テープなどの留め具１３で固定されるようにした。
【００１９】
バッグ全体の布地は、傘などに使われるパラシュート生地のような耐久性をもち、洗える素材としたことにより繰り返し使うことができる。
【００２０】
外観は図６で表現したようにゴミ袋を想起させるイラストや文字などをプリントしてもよいし、全くゴミ分別バッグとは分からないようなデザインにしてもよい。
【００２１】
図7は、分別バッグ１を折畳んだ状態を示す図である。携帯し易くするため、バッグを複数回たたみ小さくした形を維持できるよう面状テープで止めた。
【００２２】
また、分別バッグ１を使用することにより、日頃からゴミの分別意識を高め、自ら持ち込んだ物は最後まで責任を持つという行動につなげていくことができる。
【符号の説明】
【００２３】
１ 分別バッグ
２  手提げ
３  ファスナー
４a、４b 仕切り布
５、５a、５b、５c  開口部
６  クリップ（内袋留め具）
７  ビニール内袋
８  蓋
８a、８b、８c 蓋表示
９  レジャーシート
１０  弁当・おかず
１１  おにぎり
１２  ドリンク
１３  蓋留め具（面状テープ）
１４  面状テープ（折畳用）
５１a、５１b、５１c 開口部
【要約】      （修正有）【課題】外出先でも手軽にゴミの分別ができ、見栄えよくゴミを持ち運ぶことができる分別バッグを提供する。【解決手段】収納バッグにおいて、内部が分割に仕切られ、複数の分別収容が可能な構成とし、この各収容部に連結対応して設けた開口部５ａ，５ｂ，５ｃを収納バッグの外壁に設けている。収納バッグの外側からゴミを投入できるようにした開口部の一部は、密閉型のビニール内袋を装着可能とし、その外側にはゴミ収容とは分からないように蓋８を付け、開口部を隠す形にする。専用の密閉型のビニール内袋７を装着して、そこに生ごみを入れることによって不快感を与えるような臭いも発生させることのない分別バッグ１。【選択図】図1【図１】
0006761947.tif 000002
【図２】
0006761947.tif 000003
【図３】
0006761947.tif 000004
【図４】
0006761947.tif 000005
【図５】
0006761947.tif 000006
【図６】
0006761947.tif 000007
【図７】
0006761947.tif 000008